(57)【要約】デジタルカムコーダ（２００）によって撮られた写真データとビデオデータとをリンクできるようにするのが望まれている。したがって本発明では、リンク情報を第１のマルチメディアデータおよび／または第２のマルチメディアデータに基づいて形成する（２０９）ことを特徴とする、マルチメディアデータをリンクするための次のような装置および方法が提供される。リンク情報は記録媒体（２０２）に、第１のマルチメディアデータ（２０１）とともに記憶される（２１０）。第２のマルチメディアデータは、第１のマルチメディアデータに対する相応のリンク情報（２１１）とともに第２の記録媒体（２０７）に記憶される（２０６）。このようにして、撮影者は記録中に、ビデオフィルムのためのロゴ画像またはインデックス画像を準備することができる。
2005536915.tif 000002
【特許請求の範囲】
【請求項１】
マルチメディアデータをリンクする方法であって、
マルチメディアデータは、ビデオデータ、写真データおよび／またはオーディオデータを含む形式の方法において、
第１のマルチメディアデータおよび第２のマルチメディアデータを供給するステップと、
リンク情報を生成するステップ（２０９）と、
前記リンク情報か、該リンク情報によって参照される該第１のマルチメディアデータのいずれかを、第２のマルチメディアデータに付加するステップと、
前記ステップで得られたマルチメディアデータを第２の記憶媒体（２０２）に記憶するステップ（２０１，２１０）とを有し、
該第１のマルチメディアデータは、第１の記憶媒体（２０７）に記憶され、
該第２のマルチメディアデータは、ビデオカメラ（２００）から受け取られたものであり、
前記リンク情報は、該第１の記憶媒体（２０７）上の第１のマルチメディアデータに対するリファレンスを含んでおり、
該第２の記憶媒体（２０２）は、該第１の記憶媒体（２０７）から独立して取り外し可能であることを特徴とする方法。
【請求項２】
該第１のマルチメディアデータは、静止画像、写真、または画像シーケンスであり、
前記画像シーケンスは、ショートビデオまたはアニメーション等である、請求項１記載の方法。
【請求項３】
該第１の記憶媒体（２０７）はメモリであり、
該第２の記憶媒体（２０２）はテープまたはディスクである、請求項１または２記載の方法。
【請求項４】
該第１の記憶媒体（２０７）または第２の記憶媒体（２０２）、または双方が、別個に取り外し可能である、請求項１から３までのいずれか１項記載の方法。
【請求項５】
前記第１のリンク情報の生成ステップ（２０９）および記憶ステップ（２１０）を、データを該第２の記憶媒体（２０２）に記憶している間にリアルタイムで実施する、請求項１から４までのいずれか１項記載の方法。
【請求項６】
第１のマルチメディアデータに関連する第２のリンク情報を生成するステップ（２０９）と、
前記第２のリンク情報を、該第１の記憶媒体（２０７）に第１のマルチメディアデータとともに記憶するステップ（２１０）とを有し、
前記第２のリンク情報は、第２の記憶媒体（２０２）上の第２のマルチメディアデータに対するリファレンスを有する、請求項１から５までのいずれか１項記載の方法。
【請求項７】
ビデオカメラまたはカムコーダ（２００）において、
ビデオデータを記録するための手段（２０１）と、
ビデオデータまたはオーディオ／ビデオデータを記憶するのに適した第１の記憶手段（２０２）と、
電子的な静止画像または画像シーケンスまたはオーディオデータを記憶するのに適した第２の記憶手段（２０７）と、
電子的な静止画像または画像シーケンスまたはオーディオデータを該第２の記憶手段（２０７）に記憶するための手段（２０６）と、
リンク情報を生成するための手段（２０９）と、
前記記録手段（２０１）または該第１の記憶手段（２０２）からのビデオデータと該第２の記憶手段（２０７）からのデータとを、前記リンク情報を使用して連係するための手段（２１０）と、
連係された前記ビデオデータを出力および／または記憶（２０２）するための手段とが設けられており、
該第２の記憶手段（２０７）は、該第１の記憶手段（２０２）から物理的に独立しており、
前記リンク情報は、該第２の記憶手段（２０７）上のデータに対するリファレンスであるように構成されていることを特徴とするビデオカメラまたはカムコーダ。
【請求項８】
ビデオデータと第２の記憶手段（２０７）からのデータとを連係するための前記手段（２１０）の作動には、ロゴ画像をビデオシーケンスに挿入することが含まれている、請求項７記載のビデオカメラまたはカムコーダ。
【請求項９】
第２のリンク情報を生成するための手段（２０９）と、
前記第２のリンク情報を、第２の記憶手段（２０７）に記憶されたデータに付加して、ビデオ処理またはビデオ表示の装置（２０３〜２０５，２０８，２１２）が、該第１の記憶手段（２０２）上に記憶され該第２のリンク情報によって参照されるデータにアクセスできるようにするための手段（２１１）とが設けられており、
前記第２のリンク情報は、第１の記憶手段（２０２）上のデータに対するリファレンスである、請求項７または８記載のビデオカメラまたはカムコーダ。
【請求項１０】
リンク情報を生成するための前記手段（２０９）は、データが該第１の記憶手段（２０２）上に記憶される間にリアルタイムでリンク情報を生成し、
前記リンク情報は、該第２の記憶手段（２０７）上のデータに対するリファレンスである、請求項７から９までのいずれか１項記載のビデオカメラまたはカムコーダ。
【請求項１１】
リアルタイムで生成された前記リンク情報は、後処理可能であるか、またはオフライン編集可能である、請求項７から１０までのいずれか１項記載のビデオカメラまたはカムコーダ。
【請求項１２】
該第１の記憶手段は、テープまたはディスクであり、
該第２の記憶手段は、メモリ、メディアカードまたはディスクである、請求項７から１１までのいずれか１項記載のビデオカメラまたはカムコーダ。
【請求項１３】
前記電子的な静止画像または画像シーケンスまたはオーディオデータは、ビデオデータと同一の装置（２００）によって記録されている、請求項７から１２までのいずれか１項記載のビデオカメラまたはカムコーダ。
【発明の詳細な説明】
【技術分野】
【０００１】
本発明は、第１のマルチメディアデータと第２のマルチメディアデータとをリンクするための方法および装置に関する。とりわけ、前記第１のマルチメディアデータおよび第２のマルチメディアデータはビデオストリームおよび写真画像を含む。
【０００２】
背景
多くのデジタルカムコーダが、ビデオフィルムをテープに記録し、写真画像（またはＥビデオクリップ）をメディアカードに記録することができる。ビデオおよび写真で撮られたイメージ内容は、通常は非常に相関関係にあり、大きな一貫性を有する。たとえば、ビデオおよび写真は以下の観点で関連づけることができる：同時に撮られていること、同一場所で撮られていること、同一のオブジェクト（人）で撮影されていること、同様のシーンで撮影されていること、同一のイベント中に撮られていること、同じ雰囲気または感覚で撮られていること、写真およびビデオが内容的に補償されていること、写真がビデオの目立った静止内容を表していること、等。新たなカムコーダの多くの種類は、ｅビデオクリップをメディアカードに記録することさえできる。このようなｅビデオクリップは、ビデオの目立った部分を表す。Ｅビデオクリップはちょうど、ビデオのサムネイルのようなものである。
【０００３】
しかし、テープ上のビデオフィルムおよびメディアカード上の写真（またはＥビデオクリップ）は、編集および保管されて、別個に処理される。このようなプロシージャは、図１に示されている。デジタルカムコーダ１００を使用して、ビデオシーケンスがカムコーダミニテープ１０２に記録される１０１。その後ビデオフィルムは、ビデオレコーダとテレビジョンセット１０４またはパーソナルコンピュータ１０５とを使用して再生および編集される１０３。択一的に、カムコーダ１００は写真をカムコーダメディアカード１０７に記録することができる１０６。記録後、パーソナルコンピュータ１０５を使用して写真を見て編集することができる１０８。
【０００４】
記録中には、ビデオと写真（またはｅビデオクリップ）との間の記録内容に関して関連づけ（または関係）が定義されない。現在、テープの記録とメディアカードの記録との関係を編集およびカスタマイズするには、記録自体の動作とは別個の編集処理が必要であり、さらにこの処理は、記録装置とは異なる装置で実行される。しかし、撮影者が記録中に、メディアカード内の静止画像（またはｅビデオクリップ）を使用するのは不可能である。したがって、テープのビデオ内容に対してさらに魅力的なフィーチャを準備することはできない。
【０００５】
本発明
この点で本発明の課題は、２つ以上の異なるマルチメディアデータをリンクできる方法および装置を提供することである。
【０００６】
前記課題は、マルチメディアデータをリンクする次のような方法によって解決される。すなわち、第１のマルチメディアデータおよび第２のマルチメディアデータを供給するステップと、前記第１のマルチメディアデータおよび／または第２のマルチメディアデータに基づいてリンク情報を形成するステップと、前記リンク情報を第１の記録媒体に、前記第１のマルチメディアデータとともに記憶するステップとを有する方法によって解決される。
【０００７】
さらに本発明によれば、マルチメディアデータを記録するための次のような装置が提供される。すなわち、第１のマルチメディアデータおよび第２のマルチメディアデータを供給するための供給手段が設けられており、前記第１のマルチメディアデータおよび／または第２のマルチメディアデータに基づいてリンク情報を形成するためのリンク手段が前記供給手段に接続されており、前記リンク情報を第１の記録媒体に前記第１のマルチメディアデータとともに記憶するための記憶手段が前記リンク手段に接続されている装置が提供される。
【０００８】
有利には、第１のマルチメディアデータおよび第２のマルチメディアデータは、ビデオデータ、写真データおよび／またはオーディオデータを含んでいる。したがって、ビデオフィルムまたはビデオシーケンスを写真画像と同時にリンクすることができる。
【０００９】
リンク情報は、ビデオフィルム、写真画像および／またはすべての種類のオーディオシーケンスのためのロゴメッセージまたはインデックスメッセージを含むことができる。このようなロゴメッセージは、テープ上のビデオからメディアカード上の画像までのリンク情報を含んでいる。インデックスメッセージは、その時点のメディアカード上の関連の画像の１つまたは複数のコードを有する。このようなロゴメッセージまたはインデックスメッセージによって、写真データとビデオデータとを、たとえば写真データに含まれている写真画像に基づいてリンクするか、またはビデオデータに含まれているビデオセクションによってリンクすることができる。特徴的な写真画像を使用して、ユーザが複数の画像およびビデオフィルムをリンクできることが、容易に想到できる。
【００１０】
有利にはリンク情報は、ビデオがビデオテープに記録される間にリアルタイムで形成される。したがって、ロゴ画像およびインデックス画像をオフラインで編集することも、ロゴ画像およびインデックス画像をリアルタイムで生成することも、どちらも可能である。
【００１１】
ロゴメッセージおよびインデックスメッセージは、ビデオテープおよび画像メディアカード双方にて準備および記録することができる。この技術の利点は、記録動作を簡単かつ高速に行い、ユーザが後編集を行うのを支援し、ユーザが誤ってマルチメディアカード上の有効なデータを消去するのを完全に阻止できることである。
【００１２】
画像は「ロゴおよびインデックス」、「ロゴのみ」および「インデックスのみ」として構成することができる。さらに、記録および再生のための幾つかのストラテジーを、「可視」、「不可視」、「直ちにコピー」および「後でコピー」、「ロゴとともに再生」および「ロゴなしで再生」として構成することもできる。さらに、ｅビデオクリップをロゴメッセージまたはインデックスメッセージとして使用することもできる。このようにして本発明により、デジタルカムコーダによって別個に記録されたビデオシーケンスと写真エッセンスとの間に有利な「架け橋」を提供することができる。
【００１３】
ロゴ画像およびインデックス画像（メタデータ）は通常、ビデオフレームから直接生成されない。これらは通常、ビデオ内容の記録前に写真撮影によって生成される。
【００１４】
換言すれば、本発明によるカムコーダのための簡単ビデオロゴ画像およびインデックス画像の世代のシステムによって、撮影者がビデオのためのロゴ画像またはインデックス画像（またはビデオクリップ）を、記録中に準備することができる。ロゴ画像またはインデックス画像が作成されている間、ロゴマークコードがビデオテープ上の特別なトラックに書き込まれるか、またはインデックスマークコードがメディアカード内の特別なインデックスファイルに書き込まれる。ロゴ画像（またはビデオクリップ）によって、一種の「画像中の画像（picture in picture）」機能が改善される。ロゴ画像によって付加的なメッセージが記録ビデオに付加され、記録がより魅力的になる。インデックス画像は、ビデオエッセンスのための一種のリッチメディアメタデータとして機能する。これを使用して、ビデオエッセンスを探索することができる。
【００１５】
図面
本発明の実施例が図面に例解されており、以下の説明にて詳細に説明される。
【００１６】
図１  ビデオおよび写真を従来技術のデジタルカムコーダによって撮るプロシージャを示している。
【００１７】
図２    本発明によるデジタルカムコーダを使用してビデオおよび写真を撮る原理を示している。
【００１８】
図３    ロゴトラックを有するビデオテープの物理的な順序を示している。
【００１９】
図４    メディアカードの論理的構造の第１の部分を示している。
【００２０】
図５    メディアカードの論理的構造の第２の部分を示している。
【００２１】
図６    システム要件のダイアグラムを示している。
【００２２】
図７    ロゴ画像およびインデックス画像の記録プロシージャのダイアグラムを示している。
【００２３】
図８    ビデオ再生中のロゴ決定のダイアグラムを示している。
【００２４】
図９    図８の第１の経過を示している。
【００２５】
図１０  図８の第２の経過を示している。
【００２６】
図１１  インデックス決定のプロシージャのダイアグラムを示している。
【００２７】
実施例
ビデオおよび写真を本発明によるデジタルカムコーダによって撮る原理が、図２に示されている。従来技術と同様に、カムコーダ２００がビデオをミニテープ２０２に記録する２０１。記録されたビデオは、ビデオレコーダとテレビジョンセット２０４またはパーソナルコンピュータ２０５を使用して、再生および編集される２０３。さらに、カムコーダ２００は写真をメディアカード２０７に記録することもできる２０６。記録された写真は、パーソナルコンピュータ２０５を使用して見て編集することができる２０８。ここで、本発明では以下のステップが提供される。ビデオデータと写真データとの間に関係が生成される２０９。写真との関係に関する情報がロゴ情報（図６のステップ３０２も参照されたい）として、テープ２０２に書き込まれる２１０。同様に、テープ上に記録されたビデオとの関係に関する情報がインデックス情報（図６のステップ４０５も参照されたい）として、メディアカード２０７に書き込まれる２１１。このようにしてビデオは、パーソナルコンピュータ２０５上でロゴ情報を使用して、探索、再生および編集２１２される。さらに、写真をパーソナルコンピュータ２０５上で、インデックス情報を使用して、探索、再生および編集することもできる２１２。
【００２８】
有利なシステムおよび具現化要素が以下に記載されている。ここでは、「ロゴ画像／インデックス画像」に関する説明は、「ロゴｅビデオクリップ／インデックスｅビデオクリップ」にも当てはまる。
【００２９】
１．システム要件５００（図６を参照）
ａ）カムコーダにボタンのセット５０１を設ける必要がある。このボタンのセット５０１によって、カムコーダを特別な「マーク入力モード」に切り替えることができる。基本的な実施形態では、カムコーダはコメントボタンを、手が届きやすい中央の位置に有している。
【００３０】
発展された形式のカムコーダには、Ｅビデオクリップ再生機能が設けられている。ビデオのためにロゴ画像／インデックス画像を生成するために、ビデオテープおよびメディアカード上に特別な記憶空間を確保しなければならない。
【００３１】
ｂ）ビデオテープ３００（図３も参照のこと）のために、各ビデオフレームのための特別なロゴトラック３０２（またはロゴバイト）をテープ上に確保しなければならない。これによって、ロゴマークコード３０３が記録される。ロゴマークコード３０３は、テープ上のビデオからメディアカード上の画像までのリンクメッセージを含む。ロゴマークコード３０３は、メディアカードＩＤ３０４および画像ＩＤメッセージ３０５を有する。メディアカードＩＤメッセージ３０４は容量ＩＤの一種であり、予め定義されたメディアカード名またはメディアカード番号とすることができる。画像ＩＤには、画像名メッセージが含まれる。
【００３２】
図３には、ビデオテープ３００の物理的構造が示されている。ビデオテープ３００は複数のビデオフレーム３０１を有し、各ビデオフレーム３０１は複数のデータビットによって形成される。ビデオフレーム３０１内には、ロゴ情報すなわちロゴマークコード３０３のためのロゴトラック３０２が設けられており、メディアカードＩＤ３０４および画像ＩＤ３０５が含まれている。このようにして、専用のメディアカード上にロゴ画像に対するリンクが形成される。
【００３３】
ｃ）メディアカード４００（図４および５を参照されたい）のために、特別なインデックスファイル４２０と特別な一時ファイル４１０と特別なサムネイルディレクトリ４３０とを含むインデックス情報４０５をメディアカード内に生成しなければならない。メディアカード４００内のインデックスファイル４２０は、インデックスマークコード４２１を記録するために生成される。一時ファイル４１０は、ロゴ画像／インデックス画像の候補の一時インデックスコード４１１を保持するために使用される。サムネイルディレクトリ４３０は、ロゴ画像またはインデックス画像として使用できるすべてのサムネイル画像４３１を記憶するために設定される（図４および６を参照されたい）。
【００３４】
ｄ）メディアカード４００内のインデックスファイル４２０は、図６に示されているように、その時点のメディアカード内にあるすべての関連の画像のインデックスマークコード４２１を含む。画像がビデオに対するロゴまたはインデックスとして設定されると、インデックスマークコード４２１がインデックスファイル４２０内に生成される。インデックスマークコード４２１は、メディアカード４００上の画像とテープ３００上のビデオエッセンスとの間のすべてのリンクメッセージを含む。インデックスマークコード４２１には２つの種類がある：
画像がビデオのためのインデックス画像４２２として設定された場合、インデックスマークコード４２１は画像ＩＤ４２４およびビデオエッセンスＩＤメッセージ４２３を含む。画像ＩＤ４２４は、画像名４２７とディレクトリ名４２８と関連の画像のステータスラベル４２９とを含んでいる。ステータスラベルは、画像が「ロゴおよびインデックス」であるか、または「ロゴのみ」であるか、または「インデックスのみ」であるかを示す。ステータスラベルに関しては、２（ｈ）および３（ｃ）〜（ｅ）にてさらに詳細に説明される。ビデオエッセンスＩＤ４２３は、ビデオテープＩＤ４２５とビデオ内容の開始時点および終了時点のメッセージ４２６とを含んでいる。ビデオテープＩＤ４２５は、予め定義されたテープ名またはテープ番号とすることができる。
【００３５】
画像がビデオのためのロゴ画像４１２として設定されただけである場合、インデックスマークコード４２１は画像ＩＤ４２４のみを含む。この場合、ビデオエッセンスＩＤ４２３は必要ない。図５も参照されたい。
【００３６】
ｅ）図５に示された一時ファイル４１０は、その時点のメディアカード４００内にあるすべての候補画像のインデックスコードを含んでいる。画像がビデオロゴまたはビデオインデックスを作成するための候補として選択された場合、インデックスコード（図６の４１１を参照されたい）が一時ファイル４１０に書き込まれる。インデックスコードは画像ＩＤメッセージ４２４を有し、画像ＩＤは、画像名４２７とディレクトリ名４２８と選択された画像のステータスラベル４２９とを有する。ビデオの記録中に撮影者は、予め定義されたロゴ候補またはインデックス候補を候補ファイルから直接選択することができる。
【００３７】
ｆ）図４に示されたサムネイルディレクトリ４３０は、ビデオのためのロゴ画像／インデックス画像として使用されるすべてのサムネイル画像を有する。オリジナルの画像と比較して、サムネイル画像のサイズは縮小されているので、サムネイル画像に必要な記憶容量は小さくなる。サムネイルディレクトリ４３０は、通常の写真編集によって影響を受けないようにサムネイル画像を保護できるという利点を有する。
【００３８】
ｇ）特別な同期再生法によって、ビデオフレーム内にｅビデオクリップロゴを形成する必要がある。このことは図６において、参照番号５０２によって示されている。この場合、ｅビデオクリップは静止画像の連続として扱われる。各画像は、ビデオフレームに１つずつ組み込まれる。
【００３９】
２．記録のための準備
ａ）ビデオのためのロゴ画像およびインデックス画像を記録中に作成するためには、ビデオを記録する前にまず、ロゴ画像またはインデックス画像として使用される選択された画像を記録しなければならない。画像はカムコーダ自体によって撮るか、または別の装置からインポートすることができる。画像は通常のカムコーダ写真形式として保存されるか、または特別なサムネイル形式として保存される（図４参照）。サムネイル形式は、この適用では特別に定義される。サムネイル画像は、メディアカード４００のサムネイルディレクトリ４３０に直接保管される。写真形式の画像およびサムネイル画像は双方とも、ロゴ画像／インデックス画像として選択することができる。
【００４０】
図４の場合、画像１，３および６が、縮小されたサイズを有するサムネイル画像としてサムネイルディレクトリ４３０に記憶されている。したがって画像１，３および６は、画像ディレクトリ４４０および４５０から消去することができる。その結果、メモリ容量を節約することができる。
【００４１】
ｂ）カムコーダのインデックススクリーンを使用して、所望の画像を選択することができる。選択された画像の画像名４２７，ディレクトリ名４２８、およびステータスラベル４２９（２（ｇ）を参照のこと）がインデックスコード４２１として符号化され、このインデックスコード４２１はメディアカード４００内の一時ファイル４１０に保存される。選択された画像は、カムコーダのボタンを押すことによって一時ファイル４１０に入力することができる。また、ビデオ記録中に画像インデックス番号を直接入力することによって、画像を選択することもできる。
【００４２】
ｃ）選択されたすべての画像を「保護される」ステータスに設定し、これらが誤って消去されないようにしなければならない。
【００４３】
ｄ）１つ以上の画像を、一時ファイルに記憶すべきロゴ候補画像／インデックス候補画像として選択することができる。ビデオ記録中、ボタンホイールを回転させることによって、すべての候補画像をブラウジングすることができる。
【００４４】
ｅ）ロゴ画像の形式およびビデオ上の位置は、記録前、記録中、または記録後に定義される。ロゴ画像は、ビデオフレーム内で縮小または拡大することができる。さらにロゴ画像は、上方、下方、左方または右方のコーナに位置づけすることができる。こうすることによって、ビデオフレーム全体を満たすことができる。
【００４５】
ｆ）ロゴ画像は、予め定義されたエフェクト機能によって処理される。
【００４６】
ｇ）選択された画像は、３つのステータスに定義することができる：「ロゴおよびインデックス」、「ロゴのみ」および「インデックスのみ」。ステータスメッセージを表すステータスラベルは、インデックスコードの一部として一時ファイル内に作成される。「ロゴおよびインデックス」ステータスは、選択された画像が、ビデオのためのロゴ画像およびインデックス画像双方として定義されていることを意味する。「ロゴのみ」ステータスは、選択された画像が、ビデオのためのロゴ画像としてのみ定義されていることを意味しており、この画像をビデオエッセンスのためのインデックスメタデータとして使用することはできない。「インデックスのみ」ステータスは、選択された画像が、ビデオエッセンスのためのインデックスメタデータとしてのみ定義されていることを意味し、これをビデオのためのロゴ画像として使用することはできない。選択された画像のデフォルトステータスは、「ロゴおよびインデックス」として定義しなければならない。
【００４７】
ｈ）一時ファイル（１（ｅ）参照）は、すべてのロゴ候補画像／インデックス候補画像のインデックスコードを含む。このインデックスコードには、画像名、画像ディレクトリ名および画像ステータスラベルが含まれる。ステータスラベルは、「ロゴおよびインデックス」、「ロゴのみ」および「インデックスのみ」を表すことができる。一時ファイルは、ビデオ記録前に作成しなければならない。候補ファイル内のインデックスコードは、無効になると直ちに消去される。
【００４８】
ｉ）選択された画像は、ロゴ画像／インデックス画像として多重に使用できる。
【００４９】
３．記録６００（図７を参照）
ａ）ビデオ記録中に撮影者は、メディアカード内の候補ファイルから選択された画像すべてをブラウジングするには、ボタンを押すだけでよい６０１。ボタンを押すことにより６０１、撮影者は選択された画像を、ビデオのためのロゴ画像またはインデックス画像として設定することができる。予め選択された画像が候補ファイル内に存在しない場合、撮影者はボタンを押してメディアカードのすべての画像のリストをブラウジングし、ホイールを回転して画像を選択し、該画像をビデオのためのロゴ画像またはインデックス画像として設定するだけでよい。選択された画像には、ステータス「ロゴのみ」６０２、「ロゴおよびインデックス」６０３および「インデックスのみ」６０４を選択することができる。
【００５０】
ｂ）選択された画像がビデオのロゴ画像として設定された場合６０５、該ロゴ画像はカムコーダビューファインダにおいて可視であるか６０６または不可視である６０７ように設定される。
【００５１】
（１）該ロゴ画像が可視である場合６０６、該ロゴ画像の位置およびフレームサイズは撮影者によって調節される。撮影者は、ビデオテープに「直ちにコピー」するか６０８、または「後でコピー」するか６０９を選択する。「直ちにコピー」６０８が選択された場合、ビューファインダ内で位置およびサイズを有するロゴ画像はビデオ内容に挿入され、ビデオテープ上に永続的に記録される。後にビデオ内のこのロゴ画像を、編集または消去することはもはやできない。この場合、テープ上にロゴマークを作成する必要はなく、または、インデックスマークをメディアカード６１０内に作成する必要はない。「後でコピー」６０９が選択された場合、ロゴ画像はビデオテープに記録されず、画像はメディアカード内にとどまる。ロゴ画像を後で、後処理段で編集することが未だできる。この場合、ロゴマークおよびインデックスマークの双方が生成される６１１。ロゴマークコードは、テープ上のロゴトラックに書き込まれ、画像ＩＤのみを有するインデックスマークコードは、メディアカード内のインデックスファイルに書き込まれる。選択された画像は「保護される」ように設定しなければならない。
【００５２】
２）ロゴ画像が不可視であると設定された場合６０７、ロゴ画像はビデオテープに記録されず、ロゴ画像は後処理段で編集されない。この場合、ロゴマークおよびインデックスコードの双方が生成される６１１。ロゴマークコードはテープ上のロゴトラックに書き込まれ、画像ＩＤのみを含むインデックスマークコードはメディアカード内のインデックスファイルに書き込まれる。選択された画像は「保護される」に設定しなければならない。
【００５３】
ｃ）選択された画像が「ロゴおよびインデックス」ステータスにある場合６０３、これは、該画像がビデオのためのロゴ画像およびインデックス画像双方として準備されていることを意味する。この場合、ロゴマークおよびインデックスマークの双方が生成される６１１。ロゴマークコードはテープ上のロゴトラックに書き込まれ、画像ＩＤおよびビデオエッセンスＩＤを有するインデックスマークコードは、メディアカード内のインデックスファイルに書き込まれる。ロゴマークコードおよびインデックスマークコードは、第１欄に記載されたように構成されている。
【００５４】
選択された画像がビデオのためのロゴ画像およびインデックス画像として設定されている場合、これを「保護されている」に設定しなければならない。
【００５５】
このシナリオではロゴ画像が、２（ｅ）に記載されたように処理される。
【００５６】
ｄ）選択された画像が「ロゴのみ」ステータスにある場合６０２、この画像はビデオのためのロゴ画像として作成される。
【００５７】
このロゴ画像が「可視」＋「直ちにコピー」６０６，６０８として設定されている場合、該ロゴ画像はテープに記録され、ロゴマークコードまたはインデックスカードはこのシナリオでは生成されず、メディアカード内の関連の画像を保護されるものとして設定する必要はなく、この画像の編集することによって、すでに生成されたロゴ画像に影響が及ぶことはない。
【００５８】
ロゴ画像が「不可視」６０７または「可視」＋「後でコピー」６０６，６０９として設定されている場合、ロゴマークおよびインデックスマーク双方を生成しなければならない。ロゴマークコードは、ビデオテープ上のロゴトラック（またはロゴビット）に書き込まれる。画像ＩＤのみを含むインデックスマークコードは、メディアカードのインデックスファイル内に書き込まれる。
【００５９】
ｅ）選択された画像が「インデックスのみ」ステータスにある場合６０４、この画像はビデオのためのインデックス画像として作成される６１２。その後、この画像はビデオエッセンスのためのリッチメディアメタデータとして機能する。この場合、インデックスマークのみが生成され６１３、ロゴマークは必要ない。画像ＩＤおよびビデオエッセンスＩＤを含むインデックスマークコードは、メディアカード内のインデックスファイルに書き込まれる。メディアカード内の選択された画像は、「保護される」に設定しなければならない。
【００６０】
４．ロゴ決定７００（図８，９および１０を参照）
ａ）後処理段では３（ｂ‐ｌ）の場合を除いて、記録段で生成されたすべてのロゴ画像を編集または決定しなければならない。
【００６１】
ｂ）ロゴマークコードによって、ビデオエッセンスとロゴ画像とが関連づけられる。ビデオ再生時には、カムコーダは自動的に、テープ上のロゴトラックからロゴマークコードを読み出す。
【００６２】
ｃ）ユーザがビデオテープを再生または編集する際、ユーザは「ロゴとともに再生」７０１または「ロゴなしで再生」７０２を選択できる。
【００６３】
「ロゴなしで再生」が選択された場合、カムコーダはビデオテープを通常再生し、ビデオテープ上のロゴマークは無視される７０６。
【００６４】
「ロゴとともに再生」７０１が選択された場合、カムコーダはすべてのロゴマークを読み出す。カムコーダが新たなロゴマークを見つけた場合、テープ再生をその時点のビデオフレームで停止し、ユーザに対して、ロゴ画像を該ビデオフレームに組み込むべきか否かを問い合わせる。ユーザが「組み込まない」と回答した場合、カムコーダはテープの再生を次の新たなロゴマークまで継続する。ユーザが「組み込む」と回答した場合、カムコーダはロゴマークコードを構文解析し、ユーザに対して適切なメディアカードを挿入するように指示し、メディアカードのインデックスファイルを読み出し、ロゴ画像のディレクトリを見つけ、メディアカード上のロゴ画像を探索し、画像をビデオフレームに組み込む。ビデオフレームで見られるロゴ画像の位置およびサイズは、調整および調節することができる。同じロゴマークコードを有する後続のビデオフレームには、同じ位置にあり同じサイズを有する同じロゴ画像が組み込まれる。カムコーダが新たなロゴマークコードを読み出した場合、カムコーダは上記のプロシージャを繰り返す。
【００６５】
ｄ）「ロゴとともに再生」７０１が選択された場合、ユーザはロゴ画像を処理するための選択肢を３つ有する：
１）ユーザはロゴ画像を永続的にビデオフレームに、所望の位置で所望のサイズで記録する７０３。このことは図９に示されている。その後、カムコーダはインデックスファイルをチェックし、該画像が別のインデックスマークによって未だロックされているか否かを発見する。
【００６６】
該画像が別のインデックスマークによってロックされておらず７０７、かつ該画像が「ロゴのみ」ステータス７０８をその時点のインデックスマークに有する場合、該画像の「保護される」ステータスは消去される７０９。インデックスファイル内の該画像のインデックスマークも消去される。この時点から、該画像とビデオとの関連づけが切り離され、この画像は自由になる。
【００６７】
該画像が別のインデックスマークによってロックされておらず７０７、かつ該画像がその時点のインデックスマークに「ロゴおよびインデックス」ステータス７１０を有する場合、該画像の「保護される」ステータスは消去されない。しかし、その時点のインデックスマークにおける該画像のステータスラベルは、「インデックスのみ」に変更される７１１。この時点から、該画像は単なるインデックス画像として機能する。
【００６８】
該画像が別のインデックスマークによってロックされており７１２、かつ該画像がその時点のインデックスマークに「ロゴのみ」７１３ステータスを有する場合、該画像の保護されたマークは消去されない７１４。しかし、インデックスファイル内のその時点のインデックスマークは消去される。
【００６９】
該画像が別のインデックスマークによってロックされており７１２、かつ該画像がその時点のインデックスマークに「ロゴおよびインデックス」ステータス７１５を有する場合、該画像の「保護される」ステータスは消去されない。しかし、その時点のインデックスマークにおける該画像のステータスラベルは、「インデックスのみ」に変更される７１６。この時点から、該画像はその時点のビデオクリップのためのインデックス画像として機能する。
【００７０】
２）ユーザは、ロゴ画像をビデオフレームにその時点では記録したくない７０４。しかしユーザはカムコーダに、ロゴ画像７０４に基づくサムネイル画像を生成させることができる。このことは図１０に示されている。サムネイル画像はオリジナルのロゴ画像と置換され、ビデオのためのロゴ画像として機能する７１７。サムネイル画像に必要な記憶空間は縮小し、オリジナルのロゴ画像はその時点の関連づけから自由になる。サムネイル画像は、メディアカード内のサムネイルディレクトリ（１．（ｃ）および（ｆ）を参照されたい）に、オリジナルのロゴ画像と同一のファイル名で保存される。その後サムネイル画像は、ビデオのための単なるロゴ画像として使用される。
【００７１】
オリジナルのロゴ画像が別のインデックスマークによってロックされておらず７１９、かつ該画像がその時点のインデックスマークに「ロゴのみ」ステータス７２０を有する場合、該画像の「保護されている」ステータスは消去され７２１、その時点のインデックスマークにおける該画像のディレクトリ名は、サムネイルディレクトリの名前に変更される。その時点のインデックスマークにおけるサムネイルディレクトリ名によって自動的に、カムコーダはサムネイルディレクトリ内のサムネイル画像をロゴ画像として読み出し開始する。オリジナルのロゴ画像とビデオとの間の関連づけは切り離される。オリジナルの画像は自由になる。
【００７２】
オリジナルのロゴ画像が別のインデックスマークによってロックされておらず７１９、かつ該ロゴ画像がその時点のインデックスマークに「ロゴおよびインデックス」ステータス７２２を有する場合、該画像の「保護される」ステータスは消去される７２３。その時点のインデックスマークにおける該画像のディレクトリ名は、サムネイルディレクトリのディレクトリ名に変更される。サムネイルディレクトリ内のサムネイル画像は、ビデオのための新たなロゴ画像およびインデックス画像として機能する。オリジナルのロゴ画像およびインデックス画像とビデオとの間の関連づけは切り離される。オリジナルの画像は自由になる。
【００７３】
オリジナルのロゴ画像が別のインデックスマークによってロックされており７２４、かつ該ロゴ画像がその時点のインデックスマークに「ロゴのみ」ステータス７２５を有する場合、該画像の「保護される」ステータスは消去されず７２６、その時点のインデックスマークにおける該画像のディレクトリ名は、サムネイルディレクトリに変更される。その時点のインデックスマークにおけるこのサムネイルディレクトリによって自動的に、カムコーダはサムネイルディレクトリ内のサムネイル画像をロゴ画像として読み出し開始する。オリジナルのロゴ画像とその時点のビデオクリップとの間の関連づけは切り離される。
【００７４】
オリジナルのロゴ画像が別のインデックスマークによってロックされており、かつ該ロゴ画像がその時点のインデックスマークに「ロゴおよびインデックス」ステータス７２３を有する場合、該画像の「保護される」ステータスは消去されない７２８。その時点のインデックスマークにおける該画像のディレクトリ名は、サムネイルディレクトリに変更される。サムネイルディレクトリ内のサムネイル画像は、ビデオのための新たなロゴ画像およびインデックス画像として機能する。オリジナルのロゴ画像およびインデックス画像とその時点のビデオクリップとの間の関連づけは切り離される。
【００７５】
３）ロゴ画像はこの時点では、ビデオフレームに記録されない７０５。何も変更されない７２９。
【００７６】
ｅ）ユーザは、画像のファイル名を交換することによって（かつ、同一のディレクトリに位置付けられていない場合、インデックスマークコード内のディレクトリ名を変更することによって）、オリジナルのロゴ画像を別の画像と簡単に置換することができる。
【００７７】
ｆ）テープ上のビデオが消去された場合、カムコーダはユーザに対して、関連のメディアカードを挿入するように指示し、メディアカード内のインデックスファイルからすべての関連のインデックスマークを消去し、すべての関連の画像の「保護される」ステータスを消去する。
【００７８】
５．インデックス決定８００（図１１参照）
ａ）インデックスマークコードは、インデックス画像をビデオエッセンスにリンクする。ユーザはインデックス画像を使用して、ビデオエッセンスを探索する。さらにユーザは、一覧的なビデオ内容のためにインデックス画像を使用することができる。前記一覧的なビデオ内容は、同じインデックス画像にリンクされている。カムコーダは自動的に、メディアカードのインデックスファイル内のインデックスマークコードを読み出す。
【００７９】
ｂ）ユーザはインデックス画像を「クリック」することによって、ビデオエッセンスを再生する。さらにユーザは、インデックス画像を使用してビデオ内容を編集することができる。
【００８０】
ｃ）ユーザは、オリジナルの画像をインデックス画像として使用する８０１。その際には、付加的な動作は必要ない８０２。ユーザはオリジナルの画像に基づいてサムネイル画像を生成し、サムネイル画像を新たなインデックス画像として使用することもできる８０３。サムネイル画像はサムネイルディレクトリに保存され、オリジナル画像と同一の名前を有する。
【００８１】
画像が別のインデックスマークによってロックされておらず８０４、かつその時点のインデックスマークに「インデックスのみ」ステータス８０５を有する場合、該画像の「保護される」ステータスは消去される８０６。その時点のインデックスマークにおけるディレクトリ名は、サムネイルディレクトリ名に変更される。オリジナルの画像とビデオエッセンスとの間の関連づけは切り離され、オリジナルの画像は自由になる。
【００８２】
画像が別のインデックスマークによってロックされておらず８０４、かつその時点のインデックスマークに「ロゴおよびインデックス」ステータス８０７を有する場合、ユーザは「サムネイルをロゴとしても使用」８０８と「サムネイルをロゴとして使用しない」８０９との間で選択することができる。
【００８３】
ユーザが「サムネイルをロゴとしても使用」８０８を選択した場合、画像の「保護される」ステータスは消去される８１０。その時点のインデックスマークにおけるディレクトリ名は、サムネイルディレクトリ名のディレクトリ名に変更される。オリジナルの画像とビデオエッセンスとの間の関連づけは切り離され、オリジナルの画像は自由になる。サムネイルは、ロゴ画像およびインデックス画像の双方として機能する。
【００８４】
ユーザが「サムネイルをロゴとして使用しない」８０９を選択した場合、オリジナルの画像の「保護される」ステータスは消去されず、その時点のインデックスマークにおける該画像のステータスラベルは「ロゴのみ」８１１に変更される。この時点から、該画像は単なるロゴ画像として機能する。このシナリオでは、「インデックスのみ」ステータスラベルを有しオリジナルのインデックス画像のビデオエッセンスと同一のビデオエッセンスを指す新たなインデックスマークをサムネイル画像のために作成し、ユーザがサムネイルをインデックス画像として使用できるようにしなければならない。
【００８５】
該画像が別のインデックスマーク８１２によってロックされており、かつその時点のインデックスマークにおいて「インデックスのみ」ステータス８１３を有する場合、該画像の「保護される」マークは消去されない８１４。その時点のインデックスマークにおけるディレクトリ名は、サムネイルディレクトリ名に変更される。オリジナルの画像とその時点のビデオエッセンスとの間の関連づけは切り離される。
【００８６】
該画像が別のインデックスマークによってロックされており８１２、かつその時点のインデックスマークに「ロゴおよびインデックス」ステータス８１５を有する場合、該画像の「保護される」ステータスは消去されない。この場合、ユーザは「サムネイルをロゴとしても使用」８１６と「サムネイルをロゴとして使用しない」８１７との間で選択することができる。ユーザが「サムネイルをロゴとしても使用」８１６を選択した場合、その時点のインデックスマークにおけるディレクトリ名は、サムネイルディレクトリ名に変更される。オリジナルの画像とその時点のビデオエッセンスとの間の関連づけは切り離される８１８。ユーザが「サムネイルをロゴとして使用しない」８１７を選択した場合、その時点のインデックスマークにおけるステータスラベルは「ロゴのみ」８１９に変更される。この時点から、該画像は単なるロゴ画像として機能する。このシナリオでは、「インデックスのみ」ステータスを有しオリジナルのインデックス画像のビデオエッセンスと同一のビデオエッセンスを指す新たなインデックスマークをサムネイル画像のために作成し、ユーザがこの画像をインデックス画像として使用できるようにしなければならない。
【００８７】
６．適用例
シナリオ１：
撮影者はビデオシーンまたはオブジェクトを撮影している間、そのシーンまたはオブジェクトに関することを説明するのに慣れている。撮影者の声はビデオ内容とともに記録される。この場合、撮影者の声だけを聞くことができ、撮影者の姿を見ることはできない。通常、撮影者の声を聞くと同時に撮影者の顔も見ることが望まれる。ちょうどＴＶニュース番組のように、ジャーナリストに対して電話を介して話しかけている間に、ジャーナリストの写真がロゴ画像としてディスプレイに表示されるように。本発明による支援によって、撮影者は自身もビデオシーンの中に表示することができる。まず、撮影者は自身の写真またはｅビデオクリップを撮る。その後、ビデオ記録中に撮影者はこの写真またはｅビデオクリップをロゴ画像として、ビデオ内容に組み込む。
【００８８】
シナリオ２：
通常、写真およびｅビデオクリップは、ビデオの目立った内容である。これらを、一覧的なビデオ内容のためにロゴラベルとして使用するか、または付加的な視覚的メッセージをビデオ内容に付加するために使用することができる。たとえば、エッフェル塔の写真を撮って、この写真を、パリで記録されたすべてのビデオ内容のためのロゴイメージとして使用することができる。またはブランデンブルク門を、ベルリンで撮られたすべてのビデオのためのロゴとして使用することができる。ｅビデオクリップがビデオのためのロゴとして生成された場合、一種の「画像中の画像」効果に似たようなものを形成することができる。
【００８９】
シナリオ３：
記録されたインデックス画像を使用して、撮影者はビデオ内容を迅速かつ効率的に探索することができる。このインデックス画像を使用して、ユーザはビデオを効率的に編集することができる。
【００９０】
シナリオ４：
本発明を使用して、ビデオエッセンスのためのリッチメディアメタデータを生成することができる。このようなリッチメタデータは将来、広範囲にわたって活用されるだろう。
【図面の簡単な説明】
【００９１】
【図１】ビデオおよび写真を従来技術のデジタルカムコーダによって撮るプロシージャを示している。
【図２】本発明によるデジタルカムコーダを使用してビデオおよび写真を撮る原理を示している。
【図３】ロゴトラックを有するビデオテープの物理的な順序を示している。
【図４】メディアカードの論理的構造の第１の部分を示している。
【図５】メディアカードの論理的構造の第２の部分を示している。
【図６】システム要件のダイアグラムを示している。
【図７】ロゴ画像およびインデックス画像の記録プロシージャのダイアグラムを示している。
【図８】ビデオ再生中のロゴ決定のダイアグラムを示している。
【図９】図８の第１の経過を示している。
【図１０】図８の第２の経過を示している。
【図１１】インデックス決定のプロシージャのダイアグラムを示している。
【図１】
2005536915.tif 000003
【図２】
2005536915.tif 000004
【図３】
2005536915.tif 000005
【図４】
2005536915.tif 000006
【図５】
2005536915.tif 000007
【図６】
2005536915.tif 000008
【図７】
2005536915.tif 000009
【図８】
2005536915.tif 000010
【図９】
2005536915.tif 000011
【図１０】
2005536915.tif 000012
【図１１】
2005536915.tif 000013
【手続補正書】
【提出日】平成16年7月10日(2004.7.10)
【手続補正１】
【補正対象書類名】特許請求の範囲
【補正対象項目名】全文
【補正方法】変更
【補正の内容】
【特許請求の範囲】
【請求項１】
娯楽用電子装置において第１のマルチメディアデータと第２のマルチメディアデータとをリンクする方法であって、
マルチメディアデータは、ビデオデータ、静止画像データおよび／またはオーディオデータを含む形式の方法において、
第１のマルチメディアデータを第１の記憶媒体（２０７）に記録するステップと、
該第１のマルチメディアデータの部分のユーザ選択を検出するステップ（６０１）と、
挿入モード（６０２，６０３，６０４）のユーザ選択を検出するステップと、
選択された該第１のマルチメディアデータの部分に対するリンク情報を自動的に作成するステップ（２０９）と、
リアルタイムで第２のマルチメディアデータを生成し、その時点で該第１のマルチメディアデータは、すでに該第１の記憶媒体（２０７）に記録されているステップ（２００）と、
選択された挿入モードにしたがって、該第２のマルチメディアデータに、自動的に作成された前記リンク情報を挿入するか、または、前記リンク情報によって参照される第１のマルチメディアデータの選択された第１の部分を挿入するステップ（２１０）と、
第２の記憶媒体（２０２）に、該第２のマルチメディアデータと挿入された前記情報とから得られたマルチメディアデータを記憶するステップ（２０１，２１０）とを有し、
前記リンク情報は、該第１の記憶媒体上のマルチメディアデータの部分に対するリファレンスを含んでおり、
該第２の記憶媒体（２０２）は、該第１の記憶媒体（２０７）から独立して取り外し可能であることを特徴とする方法。
【請求項２】
第１のマルチメディアデータのユーザ選択を検出する前記ステップ（６０１）は、
第１のマルチメディアデータの１つまたは複数の候補部分のユーザ選択を検出することと、
選択された前記候補部分または該候補部分に対するリファレンスを、該第１の記憶媒体（２０７）に記憶することと、
前記１つまたは複数の候補部分のうち１つのユーザ選択を、ロゴデータ部分またはインデックスデータ部分として検出することとを含む、請求項１記載の方法。
【請求項３】
自動的に作成されたリンク情報または該リンク情報に対するリファレンスを、該第２の記憶媒体（２０２）上に確保された記憶空間（３０２）に記憶し、
前記記憶空間（３０２）は、単一のビデオフレームに関連している、請求項１または２記載の方法。
【請求項４】
自動的に第２のリンク情報を作成するステップ（２０９）と、
前記第２のリンク情報を、該第１の記憶媒体（２０７）に記憶するステップ（２１１）とを有し、
前記第２のリンク情報は、第１のマルチメディアデータの部分に対するリファレンス（４２４）と、該第１のマルチメディアデータの部分がユーザによって選択されている場合、第２の記憶媒体（２０２）上の第２のマルチメディアデータに対するリファレンス（４２３）とを有している、請求項１から３までのいずれか１項記載の方法。
【請求項５】
第１のファイル（４１０）および第２のファイル（４２０）を作成して、第１の記憶媒体（２０７）に記憶し、
前記第１のファイル（４１０）は、第１のマルチメディアデータの部分に対するリファレンスのリストを有し、
前記第２のファイル（４２０）は、該第１のマルチメディアデータの選択された部分のリファレンス（４２４）と第２の記憶媒体（２０２）上の第２のマルチメディアデータ（４２３）に対する前記リファレンス（４２３）とのリストを有しており、
前記リファレンス（４２３）は、第２のマルチメディアデータの特定の部分を指す、請求項１から４までのいずれか１項記載の方法。
【請求項６】
第１のマルチメディアデータは、静止画像または写真または画像シーケンスであり、
前記画像シーケンスは、たとえばショートビデオまたはアニメーション等である、請求項１から５までのいずれか１項記載の方法。
【請求項７】
ステータスラベル（４２９）を、記録された第１のマルチメディアデータの各部分とを関連づけ、
ステータスラベル（４２９）は、前記各部分が選択されているか否かを示し、
選択されたステータスを有する記録された該第１のマルチメディアデータの部分を、消去から保護する、請求項１から６までのいずれか１項記載の方法。
【請求項８】
ビデオカメラまたはカムコーダ（２００）において、
第１のマルチメディアデータを第１の記憶媒体（２０７）に記録するための手段（２０６）と、
該第１のマルチメディアデータの部分のユーザ選択を検出するための手段と、
挿入モードのユーザ選択を検出するための手段（６０１）と、
選択された該第１のマルチメディアデータの部分に対するリンク情報を自動的に作成する手段（２０９）と、
リアルタイムで第２のマルチメディアデータを生成するためのカメラ手段（２００）と、
選択された挿入モードにしたがって、該第２のマルチメディアデータに、自動的に作成された前記リンク情報を挿入するか、または、該リンク情報によって参照される選択された第１のマルチメディアデータの第１の部分を挿入するための手段（２１０）と、
第２の記憶媒体（２０２）に、該第２のマルチメディアデータと挿入された前記情報とから得られたマルチメディアデータを記憶するための手段（２０１，２１０）とが設けられており、
前記リンク情報は、該第１の記憶媒体（２０７）に記録されたマルチメディアデータの該部分に対するリファレンスを含んでおり、
該第２の記憶媒体（２０２）は別個に取り外し可能であり、該第１の記憶媒体（２０７）とは異なる記憶媒体であることを特徴とするビデオカメラまたはカムコーダ。
【請求項９】
第１のマルチメディアデータの部分のユーザ選択を検出するための前記手段（６０１）は、
第１のマルチメディアデータの１つまたは複数の候補部分のユーザ選択を検出するための手段と、
該第１の記憶媒体（２０７）に、選択された前記候補部分または該候補部分に対するリファレンスの記憶を開始するための手段と、
前記１つまたは複数の候補部分のうち１つまたは複数をロゴデータ部分またはインデックスデータ部分として選択したユーザ選択を検出するための手段と、
該第１の記憶媒体（２０７）に、選択された前記ロゴデータ部分またはインデックスデータ部分の記憶を開始するための手段とを有しており、
前記選択された候補部分または該候補部分に対するリファレンスは、第１のファイル（４１０）に記憶され、
前記選択されたロゴデータ部分またはインデックスデータ部分、または該ロゴデータ部分またはインデックスデータ部分に対するリファレンスは、該第１の記憶媒体（２０７）上の別個の第２のファイル（４２０）に記憶される、請求項８記載のビデオカメラまたはカムコーダ。
【請求項１０】
得られたマルチメディアデータを第２の記憶媒体（２０２）に記憶するための前記手段（２０１，２１０）は、自動的に作成されたリンク情報または該リンク情報に対するリファレンスを、該第２の記憶媒体（２０２）の確保された記憶空間（３０２）に記憶し、
前記記憶空間（３０２）は、単一のビデオフレームに関連する、請求項８または９記載のビデオカメラまたはカムコーダ。
【請求項１１】
前記情報が挿入されている記録された第２のマルチメディアデータを再生するための手段と、
リファレンス（３０２）によって識別された第１のマルチメディアデータの部分を同時に再生するための手段とが設けられており、
第１のマルチメディアデータの識別された部分は、第２のマルチメディアデータに組み込まれる、請求項８から１０までのいずれか１項記載のビデオカメラまたはカムコーダ（２００）。
【請求項１２】
自動的に第２のリンク情報を作成するための手段（２０９）と、
該第２のリンク情報を第１の記憶媒体（２０７）に記憶するための手段（２１１）とが設けられており、
該第２のリンク情報は、第１のマルチメディアデータの部分に対するリファレンス（４２４）と、該第１のマルチメディアデータの部分がユーザによって選択された場合、第２の記憶媒体（２０２）上の第２のマルチメディアデータに対するリファレンス（４２３）とを有している、請求項８から１１までのいずれか１項記載記載のビデオカメラまたはカムコーダ。
【請求項１３】
ビューファインダが設けられており、
第２のマルチメディアデータと挿入された情報とから得られた該マルチメディアデータが、記録中にビューファインダ上に表示可能であり、
前記挿入された情報を、ビューファインダにおいて可視または不可視に設定するための手段が設けられている、ビデオカメラまたはカムコーダ（２００）。
【国際調査報告】
2005536915.tif 000014
2005536915.tif 000015